(57)【要約】  【課題】引出し装置を備えた冷蔵庫に関し、ガタツキの少ない高品位かつ荷重を加えても操作力の小さい使い勝手の良い引出しを有する冷蔵庫を提供することを目的とする。  【解決手段】レール部材３１は固定レール３１ａと、移動レール３１ｂと、中間走行レール３１ｃと、中間走行レール３１ｃと固定レール３１ａおよび移動レール３１ｂとの係合を支持する複数のベアリング３１ｄとからなり、固定レール３１ａと移動レール３１ｂと中間走行レール３１ｃとベアリング３１ｄとを予め組み込んだ状態で固定レール３１ａを内箱２０の両側壁面の補強部材３３に固定し、補強部材３３は金属材料部３３ａと樹脂材料部３３ｂとの２材料で一体構造としたものであり、滑らかに移動レール３１ｂが移動でき、引出しの操作力を低減することができるとともに、補強部材の強度確保と組立作業性の向上を図ることができる。【選択図】図２
2006029618.tif 000002
【特許請求の範囲】
【請求項１】
内箱と、外箱と、前記内箱と外箱間に充填した発泡断熱材とよりなる前面開口部を有する断熱箱体と、前記断熱箱体を温度帯の異なる上部貯蔵室と下部貯蔵室とに区画する仕切り壁と、前記上部貯蔵室と下部貯蔵室との内部にそれぞれ備えた容器と、前記上部貯蔵室と下部貯蔵室とにそれぞれ備えられ前記容器を前後に移動可能とするレール部材と、前記レール部材の固定位置を規制する補強部材とからなり、前記レール部材を前記容器の両側部に設け、前記レール部材は固定レールと移動レールとを有し、前記固定レールと移動レールはそれぞれ回転支持部材で支持され前記固定レールと移動レールとを予め組み込んだ状態で前記固定レールを前記補強部材に固定し、前記補強部材は金属材料部と樹脂材料部との２材料で一体構造としたことを特徴とする冷蔵庫。
【請求項２】
レール部材の固定位置を規制する補強部材の樹脂材料は、固定レールの位置決めと固定レール固定用ビスのカバーを兼ねたことを特徴とする請求項１に記載の冷蔵庫。
【請求項３】
内箱に固定レールの仮固定受け部を設けたことを特徴とする請求項１または２に記載の冷蔵庫。
【請求項４】
固定レールは、内箱を介して補強部材に固定したことを特徴とする請求項１から３のいずれか一項に記載の冷蔵庫。
【発明の詳細な説明】
【技術分野】
【０００１】
本発明は、引出し装置を備えた冷蔵庫に関し、特に引出しレール取付けの構成に関するものである。
【背景技術】
【０００２】
近年、冷蔵庫は大型化に伴い、収納量が増加の傾向にあり、収納量の増加、使い勝手の向上を図るため、引出し装置を備えたものが主流となってきている（例えば、特許文献１参照）。
【０００３】
以下、図面を参照しながら、上記従来の引出し装置を備えた冷蔵庫について説明する。
【０００４】
図４は、従来の冷蔵庫の引出し式扉の斜視図である。図５は従来の冷蔵庫の引出し装置の要部断面図である。図６は、従来の冷蔵庫の引出し装置の断面図である。従来技術の冷蔵庫の引出し装置１７は、冷蔵庫本体前面の開閉自在の扉１と、この扉裏面左右に一端を固定したフレーム２と、後端を連結した連結フレーム１６と、フレーム２の後端に取り付けられた可動ローラ３と、内箱側壁４に固定，取り付けられた前記フレーム２と可動ローラ３を摺動支持する固定レール５と固定ローラ６と、前記フレーム２と、連結フレーム１６に載置された庫内ケース１５で構成される。また、フレーム側面９は平面であり、固定レール５の溝部１２も平面である。
【０００５】
そして、扉１の扉裏面左右にあらかじめ固定したフレーム２の後端に取り付けられた可動ローラ３を、冷蔵庫本体側にあらかじめ取り付けた固定レール５の溝部１２に挿入し、フレーム２の底面と固定ローラ６が接して摺動するように組み込まれるものである。
【０００６】
上記構成において、扉１を開閉すると、扉１に一端を固定したフレーム２と、フレーム２に連結された連結フレーム１６と、これらに載置された庫内ケース１５と可動ローラ３が、固定レール５と固定ローラ６上を摺動し、扉１と同期した前後方向の動きを可能としている。
【特許文献１】実公昭６０−２７９１３号公報
【発明の開示】
【発明が解決しようとする課題】
【０００７】
しかしながら、上記従来の冷蔵庫では、扉１の扉裏面左右にあらかじめ固定したフレーム２を冷蔵庫本体側にあらかじめ取り付けた固定レール５に組み込んで使用するため、フレーム２あるいは固定レール５の取り付けのばらつき、組立性を考慮して、組み込み状態でレールとローラ間には、ある程度のクリアランスを設定して設計している。このクリアランスにより、扉１の開閉時に左右のガタツキが生じ、操作性が損なわれたり、操作時の品位が上がらないという課題を有していた。
【０００８】
本発明は上記従来の課題を解決するものであり、ガタツキの少ない高品位かつ荷重を加えても、操作力の小さい使い勝手の良い引出しを有する冷蔵庫を提供することを目的とする。
【課題を解決するための手段】
【０００９】
上記従来の課題を解決するために、本発明の冷蔵庫は、内箱と、外箱と、前記内箱と外箱間に充填した発泡断熱材とよりなる前面開口部を有する断熱箱体と、前記断熱箱体を温度帯の異なる上部貯蔵室と下部貯蔵室とに区画する仕切り壁と、前記上部貯蔵室と下部貯蔵室との内部にそれぞれ備えた容器と、前記上部貯蔵室と下部貯蔵室とにそれぞれ備えられ前記容器を前後に移動可能とするレール部材と、前記レール部材の固定位置を規制する補強部材とからなり、前記レール部材を前記容器の両側部に設け、前記レール部材は固定レールと移動レールとを有し、前記固定レールと移動レールはそれぞれ回転支持部材で支持され前記固定レールと移動レールとを予め組み込んだ状態で前記固定レールを前記補強部材に固定し、前記補強部材は金属材料部と樹脂材料部との２材料で一体構造としたものである。
【００１０】
これによって固定レールと移動レールとのクリアランスを小さくすることができ、ガタの少ない高品位な引出しを構成することができるとともに、補強部材の強度と傷付き防止、組立作業時の取り扱い作業性向上、上部貯蔵室と下部貯蔵室との熱伝導による影響を抑えることができる。さらに重量の低減も図れる。
【発明の効果】
【００１１】
本発明の冷蔵庫は、ガタが小さく、容器に荷重を加えた場合でも滑らかに引出しを開閉することができ、高品位で使い勝手の良い引出し収納を構成することができるとともに、高品質な冷蔵庫を提供できる。
【発明を実施するための最良の形態】
【００１２】
請求項１に記載の発明は、内箱と、外箱と、前記内箱と外箱間に充填した発泡断熱材とよりなる前面開口部を有する断熱箱体と、前記断熱箱体を温度帯の異なる上部貯蔵室と下部貯蔵室とに区画する仕切り壁と、前記上部貯蔵室と下部貯蔵室との内部にそれぞれ備えた容器と、前記上部貯蔵室と下部貯蔵室とにそれぞれ備えられ前記容器を前後に移動可能とするレール部材と、前記レール部材の固定位置を規制する補強部材とからなり、前記レール部材を前記容器の両側部に設け、前記レール部材は固定レールと移動レールとを有し、前記固定レールと移動レールはそれぞれ回転支持部材で支持され前記固定レールと移動レールとを予め組み込んだ状態で前記固定レールを前記補強部材に固定し、前記補強部材は金属材料部と樹脂材料部との２材料で一体構造としたものであり、固定レールと移動レールとのクリアランスを小さくすることができ、ガタの少ない高品位な引出しを構成することができるとともに、補強部材の強度と傷付き防止、組立作業時の取り扱い作業性向上、上部貯蔵室と下部貯蔵室との熱伝導による影響を抑えることができる。さらに重量の低減も図れる。
【００１３】
請求項２に記載の発明は、請求項１に記載の発明において、レール部材の固定位置を規制する補強部材の樹脂材料は、固定レールの位置決めと固定レール固定用ビスのカバーを兼ねたものであり、組立部品点数の削減、ビスからの他部品保護が可能となる。
【００１４】
請求項３に記載の発明は、請求項１または２に記載の発明において、内箱に固定レールの仮固定受け部を設けているものであり、固定レールの取り付け作業性を向上でき、又、容器に加えられた荷重を内箱の仮固定受け部で抑制することができる。
【００１５】
請求項４に記載の発明は、請求項１から３のいずれか一項に記載の発明において、固定レールは、内箱を介して補強部材に固定したものであり、固定位置が規制され、取り付けが容易にできる。
【００１６】
以下、本発明の実施の形態について、図面を参照しながら説明する。なお、この実施の形態によってこの発明が限定されるものではない。
【００１７】
（実施の形態１）
図１は本発明の実施の形態１における冷蔵庫の横断面図、図２は図１のＡ−Ａ断面図、図３は同実施の形態の冷蔵庫の概略組立図である。
【００１８】
図１から図３において、冷蔵庫１８の断熱箱体１９は内箱２０と外箱２１との間に発泡断熱材２２を充填したものであり、前面開口部１９ａを有し、仕切り壁２３、２３ａ、２６により、上部より冷蔵室２４、切替室２５、上部貯蔵室２７、下部貯蔵室２８を形成している。仕切り壁２６の上部に配置する上部貯蔵室２７は冷却温度が５℃程度、下部に配置する下部貯蔵室２８は冷却温度が−２０℃程度というように仕切り壁２６を介して上下に異なる温度帯に設定されている。上部貯蔵室２７と下部貯蔵室２８とはそれぞれ前面開口部１９ａを上部貯蔵室ドア２９と下部貯蔵室ドア３０にて閉塞され、更に上部貯蔵室２７と上部貯蔵室ドア２９および下部貯蔵室２８と下部貯蔵室ドア３０とはそれぞれレール部材３１にて連結されることにより前後方向に引出し摺動可能となっている。上部貯蔵室容器３２ａ、下部貯蔵室容器３２ｂはレール部材３１を内箱２０に固定後にレール部材３１の移動レール３１ｂに支持し、各貯蔵室ドアを前後方向に引出すのと同期して移動レール３１ｂと共に前後に移動する。
【００１９】
また、レール部材３１の固定レール３１ａは位置規制手段である補強部材３３によってそれぞれ内箱２０を介して固定位置を規制される。内箱２０は、固定レール３１ａの仮固定用受け部３４が構成されている。補強部材３３は、金属材料部３３ａと樹脂材料部３３ｂとの２部品を一体に構成したもので、樹脂材料部３３ｂで金属材料部３３ａを囲むように形成されている。また、固定レール３１ａの位置決めと固定レール３１ａの固定用ビスのカバーを兼ねたものである。
【００２０】
以上のように構成された冷蔵庫について、以下その動作、作用を説明する。
【００２１】
まず、各貯蔵室ドアを手前に引出すと各貯蔵室の両側部に備えられたレール部材３１の移動レール３１ｂと中間走行レール３１ｃとが回転支持部材３１ｄが回転することにより滑らかに手前側に摺動する。
【００２２】
それに伴い、レール部材３１に支持された容器３２も手前に引出され、容器３２内に収納された被冷却物の取出し及び新たな被冷却物の収納が可能となる。
【００２３】
以上のように本実施の形態においては固定レール３１ａと移動レール３１ｂとをあらかじめ組み込んだ状態のレール部材３１を内箱２０の両側壁面に固定することにより固定レール３１ａと移動レール３１ｂとのクリアランスを小さくすることができ、ガタの少ない高品位な引出しを構成することができる。また、クリアランスを小さくすることにより、取り付けのバラツキも小さくできるので、ドアの取り付け不具合による傾きや他のドアとの間隔の不均一化という外観不良も抑制することができる。
【００２４】
また、補強部材３３によりレール部材３１の固定レール３１ａの取付位置を規制することでレール部材３１の前後、左右、上下寸法あるいは平行度が規定どおりに保持できることと、補強部材３３により断熱箱体１９の発泡断熱材２２充填後の冷却時の熱収縮等による寸法変化を抑制することで、固定レール３１ａと移動レール３１ｂとのクリアランスを小さく設定したレール部材３１をあらかじめ組み込んだ状態で内箱２０の両側壁面に固定する仕様としても左右一対のレール部材３１間の寸法精度を高く保てるので容器３２の引出し時の操作性を、位置規制手段である補強部材３３により高めることができる。
【００２５】
また、補強部材３３は金属材料部３３ａと樹脂材料部３３ｂとの２部品で一体構造としているので、金属材料部３３ａにレール部材３１を固定することで、強度確保を図り、又、樹脂材料部３３ｂで金属材料部３３ａを囲むことで、端面のエッジによる他部品の傷付き防止、あるいは、組立作業時の取り扱い作業性向上が図れる。又、温度帯の異なる貯蔵室２７，２８を補強部材３３の樹脂材料部３３ｂで継いでいるため、例えば、下部貯蔵室２８が冷凍温度としても、上部貯蔵室２７への熱伝導による影響（庫内表面の結露）を抑えることができる。さらに、レール部材３１の固定部だけを金属材料部３３ａとしたことで、重量の低減も図れる。
【００２６】
また、補強部材３３の樹脂材料部３３ｂは固定レール３１ａの位置決め及び、固定レール３１ａの仮固定、又、固定レール３１ａ固定用ビスのカバーを兼ねていることにより、組立部品点数の削減、品位を向上することができる。
【００２７】
また、内箱２０は、固定レール３１ａ仮固定用受け部３４を設けているので、固定位置を規制できるので、取り付け作業性を向上でき、又、容器に加えられた荷重を抑制することができる。
【００２８】
また、固定レール３１ａは、内箱２０を介して補強部材３３をビス等で固定しているので、固定位置が規制でき、取り付けが容易にできる。
【産業上の利用可能性】
【００２９】
以上のように、本発明にかかる冷蔵庫は、ガタが小さく、容器に荷重を加えた場合でも滑らかに引出しを開閉することができ、高品位で使い勝手の良い引出し収納ができるので、冷凍装置を備えた冷却貯蔵庫の引出し装置等の用途にも適用できる。
【図面の簡単な説明】
【００３０】
【図１】本発明の実施の形態１における冷蔵庫の横断面図
【図２】図１のＡ−Ａ断面図
【図３】同実施の形態の冷蔵庫の概略組立図
【図４】従来の冷蔵庫の引出し式扉の斜視図
【図５】従来の冷蔵庫の引出し装置の要部断面図
【図６】従来の冷蔵庫の引出し装置の断面図
【符号の説明】
【００３１】
１８  冷蔵庫
１９  断熱箱体
１９ａ  前面開口部
２０  内箱
２１  外箱
２２  発泡断熱材
２６  仕切り壁
２７  上部貯蔵室
２８  下部貯蔵室
３１  レール部材
３１ａ  固定レール
３１ｂ  移動レール
３２ａ  容器
３２ｂ  容器
３３  補強部材
３３ａ  金属材料部
３３ｂ  樹脂材料部
３４  仮固定用受け部
【図１】
2006029618.tif 000003
【図２】
2006029618.tif 000004
【図３】
2006029618.tif 000005
【図４】
2006029618.tif 000006
【図５】
2006029618.tif 000007
【図６】
2006029618.tif 000008